(57)【要約】【課題】印刷ジョブから取得した短辺側又は長辺側オフセット方向でオフセット排紙処理を実行する。【解決手段】用紙の短辺を先頭として給紙するサイド給紙部１０と、用紙の長辺を先頭として給紙する内部給紙部２０と、サイド給紙部１０又は内部給紙部２０から給紙された用紙に対して印刷する印刷部３０と、排紙位置を所定のオフセット方向にずらしながら、印刷部３０により印刷された用紙を排紙するオフセット排紙処理を実行する第１排紙部４０と、受け付けた印刷ジョブから指定されたオフセット方向を取得し、取得されたオフセット方向と、第１排紙部４０のオフセット方向とに応じて、サイド給紙部１０又は内部給紙部２０のいずれかを選択して用紙を給紙させると共に、第１排紙部４０にオフセット排紙処理を実行させるよう制御する制御部８０とを備える。【選択図】図１
2014188972.tif 000002
【特許請求の範囲】
【請求項１】
用紙を給紙する給紙手段と、
前記給紙手段により給紙される用紙の先頭が短辺又は長辺かを検知する検知手段と、
取得した印刷ジョブの画像データを前記給紙手段から給紙された用紙に対して印刷する印刷手段と、
前記印刷手段により印刷された用紙を、用紙の排紙方向又は用紙の排紙方向に対し直交する横方向のいずれかにのみオフセットして排紙するオフセット排紙処理を実行する排紙手段と、
前記印刷ジョブから、長辺又は短辺かのオフセット方向を取得するオフセット方向取得手段と、
前記オフセット方向取得手段により取得された前記オフセット方向と前記検知手段の検知結果とに応じて、少なくともいずれか一方は複数の前記給紙手段と前記排紙手段のうち、前記給紙手段および／または前記排紙手段を選択し、選択された前記給紙手段および／または前記排紙手段によって前記オフセット排紙処理を実行させるよう制御する制御手段と、
を備えることを特徴とする印刷装置。
【請求項２】
前記給紙手段は、用紙の短辺を先頭として給紙する第１の給紙手段と、
用紙の長辺を先頭として給紙する第２の給紙手段と、を備え、
前記排紙手段は、用紙の排紙方向に対し直交する横方向に排紙位置をずらしながら、前記印刷手段により印刷された用紙を排紙するオフセット排紙処理を実行する第１の排紙手段と、
用紙の排紙方向に排紙位置をずらしながら、前記印刷手段により印刷された用紙を排紙するオフセット排紙処理を実行する第２の排紙手段と、を備えており、
前記制御手段は、前記オフセット方向取得手段により取得されたオフセット方向と前記検知手段の検知結果に基づいて、第１の給紙手段又は第２の給紙手段のうち一方の給紙手段および／または前記第１の排紙手段又は前記第２の排紙手段のうち一方の排紙手段を選択し、選択された一方の排紙手段又は選択された一方の給紙手段が使用不可となった場合に、他方の排紙手段及び他方の給紙手段に切り替えて、オフセット排紙処理を続行させる
ことを特徴とする請求項１に記載の印刷装置。
【請求項３】
前記オフセット方向取得手段は、
前記オフセット排紙処理によるオフセット単位の用紙同士が直接重ならないオフセット余白域に印刷される画像データに基づいて、長辺又は短辺かのオフセット方向を取得する
ことを特徴とする請求項１又は２に記載の印刷装置。
【発明の詳細な説明】
【技術分野】
【０００１】
本発明は、オフセット方向を選択してオフセット排紙処理を実行する印刷装置に関する。
【背景技術】
【０００２】
孔版印刷装置、インクジェット印刷装置等の印刷装置の高速化及び大量印刷化に伴って、排紙後の用紙の仕分けを容易にするため、オフセット排紙機能を備えた印刷装置が普及している。ここで、オフセット排紙機能とは、排紙台又は用紙を一定枚数毎ずらしながら積層させる機能のことをいう。
【０００３】
このようなオフセット排紙機能を備えた印刷装置は、排紙口毎にオフセット排紙状態を記憶している。そして、各排紙口のオフセット排紙状態に基づいて、各排紙口にオフセット排紙された用紙が載置されているか否かを判定し、その判定結果に基づいてオフセット機能が設定されている印刷ジョブの出力と、オフセット機能が設定されていないジョブの出力とを異なる排紙口から分別する排紙制御を行う（例えば、特許文献１参照）。
【先行技術文献】
【特許文献】
【０００４】
【特許文献１】特開平１１−１１６１２９号公報
【発明の概要】
【発明が解決しようとする課題】
【０００５】
しかしながら、特許文献１に記載の印刷装置では、オフセット機能が設定されている印刷ジョブと、オフセット機能が設定されていない印刷ジョブとを異なる排紙部へ排紙するが、記録用紙の短辺側をオフセットするのか、または長辺側をオフセットするのか、ユーザが希望するオフセット方向を選択できなかった。
【０００６】
また、仮に、給紙部又は排紙部を複数設けても、希望するオフセット方向に応じて、ユーザが複数ある給紙部又は排紙部からどれを使用するかを選択する手間があった。
【０００７】
そこで、本発明は、このような課題に鑑みてなされたものであり、印刷ジョブから取得したオフセット方向でオフセット排紙処理を実行する印刷装置を提供することを目的とする。
【課題を解決するための手段】
【０００８】
上記目的を達成するため、本発明に係る印刷装置の第１の特徴は、用紙を給紙する給紙手段と、前記給紙手段により給紙される用紙の先頭が短辺又は長辺かを検知する検知手段と、取得した印刷ジョブの画像データを前記給紙手段から給紙された用紙に対して印刷する印刷手段と、前記印刷手段により印刷された用紙を、用紙の排紙方向又は用紙の排紙方向に対し直交する横方向のいずれかにのみオフセットして排紙するオフセット排紙処理を実行する排紙手段と、前記印刷ジョブから、長辺又は短辺かのオフセット方向を取得するオフセット方向取得手段と、前記オフセット方向取得手段により取得された前記オフセット方向と前記検知手段の検知結果とに応じて、少なくともいずれか一方は複数の前記給紙手段と前記排紙手段のうち、前記給紙手段および／または前記排紙手段を選択し、選択された前記給紙手段および／または前記排紙手段によって前記オフセット排紙処理を実行させるよう制御する制御手段とを備えることにある。
【０００９】
また、本発明に係る印刷装置の第２の特徴は、前記給紙手段は、用紙の短辺を先頭として給紙する第１の給紙手段と、用紙の長辺を先頭として給紙する第２の給紙手段と、を備え、前記排紙手段は、用紙の排紙方向に対し直交する横方向に排紙位置をずらしながら、前記印刷手段により印刷された用紙を排紙するオフセット排紙処理を実行する第１の排紙手段と、用紙の排紙方向に排紙位置をずらしながら、前記印刷手段により印刷された用紙を排紙するオフセット排紙処理を実行する第２の排紙手段と、を備えており、前記制御手段は、前記オフセット方向取得手段により取得されたオフセット方向と前記検知手段の検知結果に基づいて、第１の給紙手段又は第２の給紙手段のうち一方の給紙手段および／または前記第１の排紙手段又は前記第２の排紙手段のうち一方の排紙手段を選択し、選択された一方の排紙手段又は選択された一方の給紙手段が使用不可となった場合に、他方の排紙手段及び他方の給紙手段に切り替えて、オフセット排紙処理を続行させることにある。
【００１０】
また、本発明に係る印刷装置の第３の特徴は、前記オフセット方向取得手段は、前記オフセット排紙処理によるオフセット単位の用紙同士が直接重ならないオフセット余白域に印刷される画像データに基づいて、長辺又は短辺かのオフセット方向を取得することにある。
【発明の効果】
【００１１】
本発明に係る印刷装置の第１の特徴によれば、制御手段が、オフセット方向取得手段により取得されたオフセット方向と検知手段の検知結果とに基づいて、少なくともいずれか一方は複数の前記給紙手段と前記排紙手段のうち、給紙手段および／または排紙手段を選択し、選択された前記給紙手段および／または前記排紙手段によって前記オフセット排紙処理を実行させるよう制御するので、ユーザが複数ある給紙手段や排紙手段を選択する手間がなくなる。
【００１２】
また、本発明に係る印刷装置の第２の特徴によれば、制御手段が、オフセット方向取得手段により取得されたオフセット方向と検知手段の検知結果に基づいて、給紙手段を選択し、選択された給紙手段に応じた第１の排紙手段又は第２の排紙手段のうち一方の排紙手段を選択し、選択された一方の排紙手段が満載となり使用不可となった場合又は選択された一方の給紙手段が用紙切れにより使用不可となった場合、他方の排紙手段及び他方の給紙手段に切り替えて、オフセット排紙処理を続行させるので、一方の排紙手段が使用不可となった場合においても、オフセット排紙処理を続行させることができる。
【００１３】
また、本発明に係る印刷装置の第３の特徴によれば、制御手段は、オフセット排紙処理によるオフセット単位の用紙同士が直接重ならないオフセット余白域に印刷される画像データに基づいて、給紙手段又は排紙手段のいずれかを選択してオフセット排紙処理を実行させるので、ユーザが用紙のオフセット余白域の画像データから自分の印刷物であると認識しやすくなる。
【図面の簡単な説明】
【００１４】
【図１】本発明の実施例１の印刷装置の概略構成を示す構成図である。
【図２】本発明の実施例１の印刷装置における制御部の構成を示すブロック図である。
【図３】本発明の実施例１の印刷装置が備えるオフセット排紙機構を有する第１排紙部の外観図である。
【図４】（ａ），（ｂ）は、本発明の実施例１の印刷装置が備える第１排紙部によるオフセット動作を模式的に示す説明図である。
【図５】本発明の実施例１の印刷装置の動作を示すフローチャートである。
【図６】本発明の実施例２の印刷装置の動作を示すフローチャートである。
【図７】（ａ），（ｂ）は、本発明の実施例１の印刷装置において、用紙におけるオフセット余白域の位置やオフセット余白域の画像データの一例を示す説明図である。
【図８】本発明の実施例３の印刷装置の動作を示すフローチャートである。
【図９】（ａ），（ｂ）は、本発明の実施例１の印刷装置において、オフセット余白域の画像データに基づいてオフセット方向を決定した場合のオフセット排紙の一例を示す説明図である。
【図１０】本発明の実施例１の印刷装置におけるオフセット決定処理を詳細に示すフローチャートである。
【図１１】本発明の実施例４の印刷装置の動作を示すフローチャートである。
【発明を実施するための形態】
【００１５】
以下、本発明の印刷装置１の実施例１〜４を図面を参照しながら詳細に説明する。なお、詳細は後述するが、本発明の実施例１の印刷装置１ではオフセット機能を有する排紙部は１つでも良く、本発明の実施例２，３，４の印刷装置１ではオフセット方向が異なる排紙部を２つ以上有することが発明の前提である。
【００１６】
（実施例１）
まず、本発明の印刷装置１の全体構成について、図面を参照しながら詳細に説明する。
【００１７】
＜印刷装置の全体構成＞
本発明の実施例１の印刷装置１の構成について詳細に説明する。
【００１８】
図１は、本発明の実施例１の印刷装置１の構成を示す構成図である。
【００１９】
図１に示すように、印刷装置１は、サイド給紙部１０と、内部給紙部２０と、印刷部３０と、第１排紙部４０と、反転部５０と、第２排紙部６０と、操作パネル部７０と、制御部８０とを備えている。なお、本発明の実施例１の印刷装置１では、所定の一方の方向、すなわち排紙方向または排紙方向に対し直交する横方向のいずれか一方の方向にのみ記録媒体である用紙Ｐの排紙位置をオフセット（シフト）しながら排紙するオフセット機能を有する排紙部を備えていれば十分であり、第１排紙部４０がそのオフセット機能を有するものとして説明する。従って、本発明の実施例１では、第２排紙部６０はオフセット機能を有しなく、第２排紙部６０自体を省略しても良い。
【００２０】
サイド給紙部１０は、用紙Ｐが積層される給紙台１１と、この給紙台１１から最上位置の用紙Ｐのみを給紙搬送路ＦＲ上へ搬送させる１次給紙部１２と、この１次給紙部１２によって搬送された用紙Ｐを循環搬送路ＣＲ上へ搬送する２次給紙部１４とを備えている。サイド給紙部１０は、例えば、本発明の第１の給紙手段として、用紙Ｐの短辺を先頭として給紙する。また、サイド給紙部１０には、例えば、Ａ４サイズの用紙Ｐが短辺を先頭として給紙可能に収容されているものとする。
【００２１】
内部給紙部２０は、それぞれ、用紙Ｐが積層される給紙台２１ａ〜２１ｄと、各給紙台２１ａ〜２１ｄから最上位置の用紙Ｐのみを給紙搬送路ＦＲ上へ搬送させる１次給紙部２２ａ〜２２ｄを備えている。内部給紙部２０は、本発明の第２の給紙手段として、用紙Ｐの長辺を先頭として給紙するものとし、内部給紙部２０の給紙台２１ａ〜２１ｄのうち少なくも一台には、サイド給紙部１０に収容された用紙Ｐと同サイズの用紙Ｐが長辺を先頭として給紙可能に収容されているものとする。従って、例えば内部給紙部２０の給紙台２１ａに、サイド給紙部１０に収容された用紙Ｐと同じＡ４サイズの用紙Ｐが長辺を先頭として給紙可能に収容されているものとする。
【００２２】
このように２次給紙部１４には、サイド給紙部１０及び内部給紙部２０から用紙Ｐが搬送され、さらに、後述する反転部５０からも用紙Ｐが搬送される。そのため、搬送方向における２次給紙部１４の手前には、給紙された用紙Ｐの搬送経路と、一方の面が印刷された用紙が循環して搬送されてくる経路とが合流する合流地点が存在する。この合流地点を基準に、給紙機構側の経路を給紙搬送路ＦＲと称し、それ以外の経路を循環搬送路ＣＲと称している。
【００２３】
印刷部３０は、循環搬送路ＣＲ上で用紙Ｐを搬送する用紙搬送ユニット１３３と、この用紙搬送ユニット１３３の上部に設けられ、複数のインクジェットヘッドが組み込まれたインクジェットヘッドユニット３１とを備える。なお、印刷部３０における印刷形式は、インクジェット印刷に限定されず、孔版印刷でも、レーザー印刷でも良い。
【００２４】
用紙搬送ユニット１３３は、環状のプラテンベルト１３２を備えており、２次給紙部１４により給紙された用紙Ｐは、プラテンベルト１３２内に設置された後述するサクションファン１３１によってプラテンベルト１３２上に吸引され、搬送路上を所定の搬送速度で搬送されながら、インクジェットヘッドユニット３１から吐出されたインクにより用紙Ｐに印刷される。
【００２５】
印刷部３０により印刷された用紙Ｐは、循環搬送路ＣＲ上に配置された搬送ローラ等によって筐体内を循環搬送路ＣＲ上を搬送される。循環搬送路ＣＲ上には、循環搬送路ＣＲ上を搬送された用紙Ｐを排紙経路ＤＲを介して第１排紙部４０へ誘導するか、又は循環搬送路ＣＲ上を循環させるか、反転部５０へ誘導するかを切り替える切り替え機構１３４が備えられている。
【００２６】
第１排紙部４０は、印刷装置１の筐体から突出したトレイ形状をした排紙台４１と、排紙台４１に用紙Ｐを誘導する一対の排紙ローラ４２と、用紙Ｐを排出する排紙口４３（図３や図４（ａ）参照。）と、排紙口４３から排出された用紙Ｐの排紙位置を所定のオフセット枚数毎にシフト動作を行う可動トレイ部４４（図３や図４（ｂ）参照。）とを有している。切り替え機構１３４により第１排紙部４０に誘導された用紙Ｐは、排紙ローラ４２によって排紙口４３から排出されて排紙台４１上の可動トレイ部４４に積載される。
【００２７】
ここで、第１排紙部４０は、排紙方向または排紙方向に対し直交する横方向のいずれか一方の方向にのみ用紙Ｐの排紙位置をオフセットしながら排紙する後述するオフセット機能を有しており、ここでは、後述する図４（ａ），（ｂ）に示すように可動トレイ部４４を排紙方向Ｙに対し直交する横方向Ｘに一定距離ずらすことによって、用紙Ｐの排紙位置を所定枚数毎に横方向Ｘにずらして排出するオフセット排紙処理を実行する。
【００２８】
反転部５０は、用紙Ｐを反転させる反転台５１と、循環搬送路ＣＲから反転台５１へ用紙Ｐを搬送し、又は反転台５１から循環搬送路ＣＲ上へ用紙Ｐを搬送する反転ローラ５２とを備えている。
【００２９】
切り替え機構１３４により反転部５０に誘導された用紙Ｐは、反転ローラ５２により循環搬送路ＣＲから反転台５１に搬送され、所定時間経過後、反転台５１から循環搬送路ＣＲへ搬送されることにより、循環搬送路ＣＲに対して表裏が反転する。そして、表裏が反転された用紙Ｐは、循環搬送路ＣＲ上に設けられた搬送ローラ５３等の複数のローラにより循環搬送路ＣＲ上を印刷部３０へ向かって搬送される。
【００３０】
分離フリッパ１３６は、循環搬送路ＣＲ上を搬送された用紙Ｐを、循環搬送路ＣＲ外へ排紙するように後述する第２排紙部６０へ誘導するか、又は循環搬送路ＣＲ上を循環させるかを切り替える。
【００３１】
第２排紙部６０は、印刷装置１の筐体から突出したトレイ形状をした排紙台６１と、排紙台６１に用紙Ｐを誘導する一対の排紙ローラ６２とを有している。そして、分離フリッパ１３６により第２排紙部６０に誘導された用紙Ｐは、排紙ローラ６２によって排紙台６１上に排出されて積載される。
【００３２】
操作パネル部７０は、テンキーやスタートキー、ストップキー等の各種キーや表示パネル等を備えている。ここでは、ユーザが操作パネル部７０の各種キーを操作してユーザが望むオフセット方向を指定したオフセット排紙指令またはオフセット方向を指定しないオフセット排紙指令を含む印刷ジョブ、あるいはオフセット排紙指令を含まない印刷ジョブを設定できる。ただし、これらの印刷ジョブは、操作パネル部７０からではなく、この印刷装置１に有線または無線のＬＡＮ等によって接続された図示しないコンピュータ装置（図示せず。）等からも送信できる。
【００３３】
図２は、制御部８０の構成を示すブロック図である。
【００３４】
図２に示すように、制御部８０は、ＣＰＵ８１と、ＣＰＵ８１の動作プログラム等を格納したプログラムＲＯＭ８２と、画像読取り部（図示せず。）が読取った画像データまたはコンピュータ装置（図示せず。）等が送信してきた画像データ、さらには操作パネル部７０またはコンピュータ装置（図示せず。）からのオフセット排紙指令等の各種印刷条件を含む印刷ジョブを記憶するＲＡＭ８３を有している。ＣＰＵ８１は、プログラムＲＯＭ８２に格納された動作プログラムを実行することにより、本装置全体、すなわちサイド給紙部１０や内部給紙部２０と、印刷部３０、第１排紙部４０、反転部５０、第２排紙部６０、操作パネル部７０等の動作を制御すると共に、オフセット方向取得手段および制御手段として機能する。
【００３５】
＜第１排紙部のオフセット排紙機能＞
次に、第１排紙部４０のオフセット排紙機能について説明する。また、本発明の実施例１では、上述したように第１排紙部４０のみオフセット排紙機能を有している。
【００３６】
図３は、オフセット排紙機能を有する第１排紙部４０の外観図である。図４（ａ），（ｂ）は、この第１排紙部４０によるオフセット排紙動作を模式的に示す説明図である。
【００３７】
図３に示すように、第１排紙部４０は、用紙Ｐの受台である排紙台４１の上面が傾斜しており、その上面に用紙Ｐが積載される可動トレイ部４４を備えている。可動トレイ部４４は、排紙台４１の上に排紙方向Ｙとほぼ平行になるように上方に向けて傾斜して設置されており、ここでは図４（ｂ）に示すように排紙方向Ｙに対し直交する横方向Ｘにスライドして用紙Ｐを部単位（オフセット枚数）毎に仕分けするために、オフセット枚数毎に横方向Ｘにシフト動作して、用紙Ｐの束を左右にずらしながら積層して仕分けを行う。
【００３８】
そのため、この第１排紙部４０は、可動トレイ部４４の裏面に例えばクランクギア（図示せず。）やシフトモーター（図示せず。）等を備えており、シフトモーターを一定の時間周期で回転させることによって、クランクギアの直径分の距離だけ可動トレイ部４４を左右に往復動作させる。この一定の時間周期は、設定枚数目の用紙後端が排紙口４３を通過してから一定時間経過後とする。
【００３９】
なお、図４（ａ）では用紙Ｐの長辺Ｐ２側を先頭に排出して、用紙Ｐの短辺Ｐ１側の端部を排紙方向Ｙに対し直交する横方向Ｘに一定距離だけずらすオフセット排紙処理を実行している。そのため、図４（ａ）に示すように用紙Ｐの短辺Ｐ１側の端部を一定距離だけずらすオフセット排紙を短辺オフセットと呼ぶことにする。これに対し、図４（ｂ）では用紙Ｐの短辺Ｐ１側を先頭に排出して、用紙Ｐの長辺Ｐ２側の端部を横方向Ｘに一定距離だけずらすオフセット排紙処理を実行している。そのため、図４（ｂ）に示すように用紙Ｐの長辺Ｐ２側の端部を一定距離だけずらすオフセット排紙を長辺オフセットと呼ぶことにする。なお、図４（ａ），（ｂ）から明らかなように、排紙部における可動トレイ部のスライド（シフト）方向を変えなくても、用紙Ｐの給紙方向を変えるだけで、短辺オフセットと長辺オフセットのオフセット方向を変更できる。
【００４０】
＜本発明の実施例１の印刷装置１の動作＞
次に、本発明の実施例１の印刷装置１の動作について、印刷後の排紙動作を中心に説明する。なお、下記の動作説明では、ユーザ操作により、Ａ４サイズの用紙Ｐに対し画像データを印刷する印刷ジョブが印刷装置１に対し送信されたものとし、短辺を先頭として給紙可能なサイド給紙部１０および長辺を先頭として給紙可能な内部給紙部２０の給紙台２１ａにはそれぞれにＡ４サイズの用紙Ｐが収容されているものとして説明する。
【００４１】
図５は、本発明の実施例１の印刷装置１の動作を示すフローチャートである。
【００４２】
まず、印刷装置１の制御部８０のＣＰＵ８１は、画像読取り部（図示せず。）が読取った画像データまたはコンピュータ装置（図示せず。）等が送信してきた画像データや各種印刷条件を含む印刷ジョブを受信すると（Ｓ１００）、まず、その印刷ジョブにオフセット排紙を指示するオフセット排紙指令が含まれているか否かを判定する（Ｓ１１０）。
【００４３】
印刷ジョブにオフセット排紙指令が含まれていない場合（Ｓ１１０でＮＯ）、制御部８０のＣＰＵ８１は、その印刷ジョブの内容に基づいて、ユーザによって指定された印刷条件で指定されたサイド給紙部１０または内部給紙部２０から用紙Ｐを給紙させて印刷部３０によって印刷を実行させ（Ｓ１２０）、ユーザが指定したまたは初期設定の第１排紙部４０または第２排紙部６０からオフセット排紙処理を実行させずに排紙させる（Ｓ１３０）。
【００４４】
一方、印刷ジョブにオフセット排紙指令が含まれている場合（Ｓ１１０でＹＥＳ）、制御部８０のＣＰＵ８１は、そのオフセット排紙指令の中にユーザから排紙方向Ｙまたは排紙方向Ｙに対し直交する横方向Ｘへのオフセット方向が指定されているか（含まれているか）否かを判定する（Ｓ１４０）。
【００４５】
ここで、オフセット排紙指令の中にユーザからオフセット方向が指定されていない場合（Ｓ１４０でＮＯ）、制御部８０のＣＰＵ８１は、その印刷ジョブの内容に基づいて、ユーザによって指定された印刷条件でかつサイド給紙部１０または内部給紙部２０から用紙Ｐを給紙させて印刷部３０によって印刷を実行させる（Ｓ１７０）。なお、本発明の実施例１では、第１排紙部４０のみオフセット機能を有しているため、制御部８０のＣＰＵ８１は、循環搬送路ＣＲ上の搬送ローラや切り替え機構１３４、排紙ローラ４２等の動作を制御して、印刷部３０で印刷された用紙Ｐを第１排紙部４０へ送る。
【００４６】
第１排紙部４０は、制御部８０のＣＰＵ８１からのオフセット排紙指令に基づいて図４（ａ），（ｂ）に示すように排紙口４３から排紙される印刷済みの用紙Ｐの排紙位置を排紙方向Ｙに対し直交する横方向Ｘにずらしながらオフセット排紙処理を実行する（Ｓ１８０）。
【００４７】
一方、オフセット排紙指令の中にユーザが指示したオフセット方向が設定されている場合（Ｓ１４０でＹＥＳ）、制御部８０のＣＰＵ８１は、ステップＳ１７０の印刷処理を実行する前に、オフセット排紙指令の中からユーザが指定したオフセット方向等の情報を取得する（Ｓ１５０）。
【００４８】
そして、制御部８０のＣＰＵ８１は、ユーザが指示したオフセット方向と、サイド給紙部１０および内部給紙部２０の給紙方向とに基づいて、ユーザが指定したオフセット方向でオフセット排紙処理が実行されるように、サイド給紙部１０または内部給紙部２０の給紙台２１ａをいずれかを選択して給紙させると共に（Ｓ１６０）、印刷部３０に印刷を実行させ（Ｓ１７０）、第１排紙部４０にオフセット排紙処理を実行させる（Ｓ１８０）。
【００４９】
具体的には、まず、上述したようにユーザ操作により、Ａ４サイズの用紙Ｐに対し画像データを印刷する印刷ジョブが印刷装置１に対し送信されたものとする。そして、上述したように、短辺を先頭として給紙可能なサイド給紙部１０と、長辺を先頭として給紙可能な内部給紙部２０の給紙台２１ａにはそれぞれＡ４サイズの用紙Ｐが収容されており、第１排紙部４０は、図４（ａ），（ｂ）に示すように用紙Ｐの排紙位置を所定枚数毎に排紙方向Ｙに対し直交する横方向Ｘに一定距離ずらして排出するオフセット排紙処理を実行するものとする。
【００５０】
このような条件において、例えば、ユーザが指定したオフセット方向が“短辺オフセット”である場合は、制御部８０のＣＰＵ８１は、オフセット排紙可能な第１排紙部４０が排紙方向Ｙに対し直交する横方向Ｘでのみオフセット排紙が可能であることと、サイド給紙部１０および内部給紙部２０の給紙方向とに基づいて、長辺を先頭として給紙可能な内部給紙部２０の給紙台２１ａを選択して給紙させる。これにより、図４（ａ）に示すような短辺Ｐ１側の端部を一定距離だけずらす短辺オフセットでオフセット排紙処理を実行できる。
【００５１】
一方、ユーザが指定したオフセット方向が“長辺オフセット”である場合、制御部８０のＣＰＵ８１は、オフセット排紙可能な第１排紙部４０の横方向Ｘでのみのオフセット方向と、サイド給紙部１０および内部給紙部２０の給紙方向とに基づいて、短辺を先頭として給紙可能なサイド給紙部１０の給紙台２１ａを選択して給紙させる。これにより、図４（ｂ）に示すような用紙Ｐの長辺Ｐ２側の端部を一定距離だけずらす長辺オフセットでオフセット排紙処理を実行できる。
【００５２】
従って、本発明の実施例１の印刷装置１によれば、所定の一の横方向Ｘにのみオフセット排紙が可能な第１排紙部４０のみ設けられている場合でも、複数の給紙手段であるサイド給紙部１０および内部給紙部２０に同じサイズの用紙Ｐでかつ給紙方向を短辺先頭と長辺先頭になるように用紙Ｐを収容しておき、ユーザからオフセット方向を指定したオフセット排紙指令が有った場合は、そのオフセット排紙指令に含まれるオフセット方向と、サイド給紙部１０および内部給紙部２０の給紙方向に基づいてサイド給紙部１０および内部給紙部２０を選択して用紙Ｐを給紙させて印刷させるため、ユーザがサイド給紙部１０および内部給紙部２０のうちどちらを使用するかを選択する手間なく、所望のオフセット方向にオフセット排紙処理を実行できる。
【００５３】
（実施例２）
次に、本発明の実施例２の印刷装置１について、図面を参照しながら詳細に説明する。なお、本発明の実施例２の印刷装置１は、図１および図２に示す本発明の実施例１の印刷装置１と構成は同一であるため、図１および図２に示す本発明の実施例１の印刷装置１の構成を参照して、動作を中心に説明する。
【００５４】
本発明の実施例２の印刷装置１では、本発明の実施例１の印刷装置１と異なり、オフセット方向の異なる２つの排紙部を備えている。
【００５５】
そのため、本発明の実施例２の印刷装置１では、第１排紙部４０は、第１排紙手段として本発明の実施例１の印刷装置１と同様に図４（ａ），（ｂ）に示すように用紙Ｐの排紙位置を所定枚数毎に排紙方向Ｙに対し直交する横方向Ｘに一定距離ずらして排出するオフセット排紙処理を実行する。
【００５６】
第２排紙部６０は、第２排紙手段として用紙Ｐの排紙位置を所定枚数毎に排紙方向Ｙと平行に一定距離ずらして排出するオフセット排紙を実行する。
【００５７】
このとき、第２排紙部６０の図示しない可動部が排紙方向Ｙにスライドすることにより、排紙された用紙のＹ方向に対する先端側及び後端側をオフセット排紙を実行できる。
【００５８】
＜実施例２の印刷装置の動作＞
次に、本発明の実施例２の印刷装置１の動作について、印刷後の排紙動作を中心に説明する。なお、下記の動作説明では、本発明の実施例１の場合と同様に、ユーザ操作により、Ａ４サイズの用紙Ｐに対し画像データを印刷する印刷ジョブが印刷装置１に対し送信されたものとし、短辺を先頭として給紙可能なサイド給紙部１０および長辺を先頭として給紙可能な内部給紙部２０の給紙台２１ａそれぞれにそのＡ４サイズの用紙Ｐが収容されているものとして説明する。
【００５９】
図６は、本発明の実施例２の印刷装置１の動作を示すフローチャートである。なお、図６において、図５に示す本発明の実施例１の印刷装置１の動作と同じ処理については、同じステップ番号を付して説明を省略し、本発明の実施例２の印刷装置１に特有の動作について説明する。
【００６０】
即ち、本発明の実施例２の印刷装置１では、オフセット方向が異なるオフセット排紙を実行する排紙部として第１排紙部４０と第２排紙部６０とを有するため、ステップＳ１５０でオフセット排紙指令の中からユーザが指定したオフセット方向や用紙サイズ等の情報を取得した後は、取得したユーザ指定のオフセット方向に基づいて第１排紙部４０または第２排紙部６０を選択すると共に（Ｓ２００）、ユーザ指定の用紙サイズ等からサイド給紙部１０または内部給紙部２０の給紙台２１ａをいずれかを選択して、印刷部３０に印刷を実行させ（Ｓ１７０）、ユーザが指定したオフセット方向のオフセット排紙処理を実行させる（Ｓ１８０）。
【００６１】
ステップＳ１４０において、オフセット排紙指令の中にユーザからオフセット方向が指定されていないと判定された場合（ＮＯの場合）、制御部８０のＣＰＵ８１は、そのオフセット排紙指令で指定された排紙部である第１排紙部４０または第２排紙部６０が使用可能か否かを判定する（Ｓ２１０）。排紙部が使用可能でない場合とは、オフセット排紙機能が故障している排紙部は勿論のこと、例えば、既に印刷済みの用紙Ｐが積載されている場合も使用不可とする。
【００６２】
ここで、オフセット排紙指令で指定された排紙部が使用可能である場合（Ｓ２１０でＹＥＳ）、制御部８０のＣＰＵ８１は、そのオフセット排紙指令で指定された排紙部を選択すると共に（Ｓ２２０）、指定された給紙部を選択し（Ｓ２３０）、印刷部３０に印刷を実行させ（Ｓ１７０）、選択した排紙部にオフセット排紙処理を実行させる（Ｓ１８０）。
【００６３】
一方、オフセット排紙指令で指定された排紙部が使用不可の場合（Ｓ２１０でＮＯ）、制御部８０のＣＰＵ８１は、そのオフセット排紙指令で指定されていない他方の使用可能な排紙部を切り替えると共に（Ｓ２４０）、指定された給紙部の給紙方向とは異なる給紙方向の給紙部に切り替えて（Ｓ２５０）、印刷部３０に印刷を実行させ（Ｓ１７０）、切り替えた排紙部でオフセット排紙を実行させる（Ｓ１８０）。
【００６４】
これにより、オフセット排紙指令で指定された排紙部が使用不可の場合でも（Ｓ２１０でＮＯ）、オフセット方向の異なる他の排紙部に切り替えられると共に、給紙方向の異なる給紙部に切り替えられるため、結果的にユーザが指定したオフセット方向でオフセット排紙処理が実行できる。
【００６５】
従って、本発明の実施例２の印刷装置１によれば、オフセット方向が異なるオフセット排紙処理を実行する排紙部として第１排紙部４０と第２排紙部６０とを備え、オフセット排紙指令で指定された排紙部が使用不可の場合には、給紙方向の異なる給紙部に切り替えて給紙して印刷を実行した後、オフセット方向の異なる排紙部に切り替えてオフセット排紙処理を実行するため、ユーザがサイド給紙部１０及び内部給紙部２０並びに第１排紙部４０及び第２排紙部６０のうちいずれかを使用するかを選択する手間なく、所望のオフセット方向にオフセット排紙処理を続行することができる。
【００６６】
（実施例３）
次に、本発明の実施例３の印刷装置１について、図面を参照しながら詳細に説明する。なお、本発明の実施例３の印刷装置１は、本発明の実施例２の印刷装置１と同様に、図１および図２に示す実施例１の印刷装置１と構成は同一であるため、図１および図２に示す本発明の実施例１の印刷装置１の構成を参照して、動作を中心に説明する。
【００６７】
本発明の実施例３の印刷装置１は、オフセット排紙指令にユーザによって設定されたオフセット方向が含まれていない場合、用紙Ｐのオフセット余白域に印刷される画像データに基づいてオフセット方向を判定して、オフセット方向の異なる排紙部を選択ないしは切り替えてオフセット排紙処理を実行する。
【００６８】
そのため、本発明の実施例３の印刷装置１でも、オフセット方向の異なる２つの排紙部を備えている。具体的には、図４（ａ），（ｂ）に示すように、用紙Ｐの排紙位置を所定枚数毎に排紙方向Ｙに対し直交する横方向Ｘに一定距離ずらして排出するオフセット排紙処理を実行する第１排紙手段としての第１排紙部４０と、用紙Ｐの排紙位置を所定枚数毎に排紙方向Ｙと平行に一定距離ずらして排出するオフセット排紙処理を実行する第２排紙手段として第２排紙部６０とを備えている。
【００６９】
図７（ａ），（ｂ）は、用紙Ｐにおけるオフセット余白域の位置やオフセット余白域の画像データの一例を示す説明図である。
【００７０】
図７（ａ），（ｂ）に示すように、用紙Ｐは短辺Ｐ１と長辺Ｐ２とを有しており、それぞれの両側には図７（ａ），（ｂ）に示すようにオフセット排紙時に用紙Ｐの端部をずらず領域が発生する。ここで、図７（ａ）に示すように用紙Ｐの短辺Ｐ１側の端部を一定距離だけずらす短辺オフセットのオフセット量である短辺オフセット幅をＷ１とする。また、図７（ｂ）に示すように用紙Ｐの長辺Ｐ２側の端部を一定距離だけずらす長辺オフセットのオフセット量である長辺オフセット幅をＷ２とする。そして、用紙Ｐにおける上下両側の短辺オフセット幅Ｗ１および長辺オフセット幅Ｗ２の領域を合わせてオフセット余白域Ｐ３と定義する。
【００７１】
なお、図７（ａ）では、用紙Ｐのオフセット余白域Ｐ３の短辺Ｐ１側に画像データとして、標題などの横書きの文字列“ＡＢＣＤＥ”等が印刷される例を示している。また、図７（ｂ）では、用紙Ｐのオフセット余白域Ｐ３の長辺Ｐ２側に画像データとして、標題などの横書きの文字列“ＡＢＣＤＥ”等が印刷される例を示している。
【００７２】
＜実施例３の印刷装置の動作＞
次に、本発明の実施例３の印刷装置１の動作について、印刷後の排紙動作を中心に説明する。なお、下記の動作説明では、ユーザ操作により、Ａ４サイズの用紙Ｐに対し画像データを印刷する印刷ジョブが印刷装置１に対し送信されたものとし、短辺を先頭として給紙可能なサイド給紙部１０および長辺を先頭として給紙可能な内部給紙部２０の給紙台２１ａそれぞれにそのＡ４サイズの用紙Ｐが収容されているものとして説明する。
【００７３】
図８は、本発明の実施例３の印刷装置１の動作を示すフローチャートである。なお、図８において、図６に示す本発明の実施例２の印刷装置１の動作と同じ処理については、同じステップ番号を付して説明を省略し、本発明の実施例３の印刷装置１に特有の動作について説明する。
【００７４】
即ち、本発明の実施例３の印刷装置１では、ステップＳ１４０において、オフセット排紙指令の中にユーザからオフセット方向が指定されていないと判定された場合（ＮＯ）、制御部８０のＣＰＵ８１は、オフセット余白域Ｐ３に印字されることになる画像データに基づいてオフセット方向を決定する（Ｓ３００）。なお、このステップＳ３００におけるオフセット方向決定処理については、図１０のフローチャートで詳細に説明する。
【００７５】
そして、ステップＳ３００の処理によってオフセット余白域Ｐ３の画像データに基づいてオフセット方向を決定後、制御部８０のＣＰＵ８１は、決定したオフセット方向でオフセット排紙処理を実行する排紙部４０，６０と、印刷部３０にそれぞれの給紙方向で給紙する給紙部１０，２０が使用可能か否かを判定する（Ｓ４００）。排紙部４０，６０が使用可能か否かは、本発明の実施例２で説明したように例えば、排紙部４０，６０のオフセット排紙機能が故障している場合は勿論のこと、排紙部４０，６０に既に印刷済みの用紙Ｐが積載されている場合も使用不可と判定する。
【００７６】
ステップＳ４００において、決定されたオフセット方向の排紙部４０，６０と給紙部１０，２０が使用可能であると判定された場合（ＹＥＳの場合）、制御部８０のＣＰＵ８１は、その排紙部４０，６０を選択すると共に（Ｓ４１０）、決定した給紙部１０，２０を選択して（Ｓ４１０）、印刷部３０に印刷を実行させ（Ｓ１７０）、切り替えた排紙部でオフセット排紙処理を実行させる（Ｓ１８０）。
【００７７】
一方、ステップＳ４００において、決定したオフセット方向の排紙部４０，６０と給紙部１０，２０が使用不可であると判定された場合（ＮＯの場合）、制御部８０のＣＰＵ８１は、本発明の実施例２の印刷装置１におけるステップＳ２１０の判定でＮＯと判定した場合と同様に、他方の使用可能な排紙部４０，６０に切り替えると共に（Ｓ２４０）、給紙方向の異なる給紙部１０，２０に切り替えて（Ｓ２５０）、印刷部３０に印刷を実行させ（Ｓ１７０）、切り替えた排紙部でオフセット排紙処理を実行させる（Ｓ１８０）。
【００７８】
これにより、ステップＳ３００においてオフセット余白域Ｐ３の画像データに基づいて決定されたオフセット方向の排紙部４０，６０とその排紙部４０，６０に給紙する給紙部１０，２０が使用不可である場合でも（Ｓ４００でＮＯ）、オフセット方向の異なる排紙部に切り替えると共に、給紙方向の異なる給紙部に切り替えることになる。その結果、ステップＳ３００の処理によってオフセット余白域Ｐ３の画像データに基づいて決定したオフセット方向でオフセット排紙処理が実行できることになる。
【００７９】
なお、ステップＳ３００の処理によってオフセット余白域Ｐ３の画像データに基づいてオフセット方向を決定した際、図７（ａ）に示すようにオフセット余白域Ｐ３の短辺Ｐ１側に文字列等の画像データが印刷される場合には、図９（ａ）に示すようにオフセット余白域Ｐ３の短辺Ｐ１側の文字列等の画像データが互いに重ならないように短辺Ｐ１側を短辺オフセット幅Ｗ１だけ交互にシフトしていくオフセット排紙が好ましい。一方、図７（ｂ）に示すようにオフセット余白域Ｐ３の長辺Ｐ２側に文字列等の画像データが印刷される場合には、図９（ｂ）に示すようにオフセット余白域Ｐ３の長辺Ｐ２側の文字列等の画像データが互いに重ならないように長辺Ｐ２側に長辺オフセット幅Ｗ１だけ交互にシフトしていくオフセット排紙が好ましい。
【００８０】
図１０は、図８のフローチャートに示したステップＳ３００のオフセット決定処理を詳細に示すフローチャートである。
【００８１】
制御部８０のＣＰＵ８１は、画像読取り部（図示せず。）が読取り又はコンピュータ装置（図示せず。）等が送信してきてＲＡＭ８３に格納しておいた画像データを解析して、用紙Ｐのオフセット余白域Ｐ３に印刷されることになる画像データを確認すると共に解析し（Ｓ３１０）、まずはオフセット余白域Ｐ３の短辺Ｐ１側および長辺Ｐ２側の双方に画像データが有るか否かを判定する（Ｓ３２０）。
【００８２】
ここで、オフセット余白域Ｐ３の短辺Ｐ１側または長辺Ｐ２側のいずれか一方に画像データが有る場合、およびオフセット余白域Ｐ３の短辺Ｐ１側および長辺Ｐ２側のいずれにも画像データがない場合（Ｓ３２０でＮＯ）、制御部８０のＣＰＵ８１は、画像データが図７（ｂ）に示した長辺Ｐ２側にあるのか（Ｓ３３０）、画像データが図７（ａ）に示した短辺Ｐ１側にあるのかを判定する（Ｓ３４０）。
【００８３】
そして、その画像データが図７（ｂ）に示した長辺Ｐ２側にある場合（Ｓ３３０でＹＥＳ）、制御部８０のＣＰＵ８１は、その画像データが印字される長辺Ｐ２側でオフセットが実行されるようにオフセット方向を長辺オフセットと決定して（Ｓ３３５）、図８の次のステップＳ４００に処理を移行する。
【００８４】
一方、画像データが図７（ａ）に示した短辺Ｐ１側にある場合（Ｓ３３０でＮＯ、Ｓ３４０でＹＥＳ）、その画像データが印字される短辺Ｐ１側でオフセットが実行されるようにオフセット方向を短辺オフセットと決定して（Ｓ３４５）、図８の次のステップＳ４００に処理を移行する。
【００８５】
なお、オフセット余白域Ｐ３の短辺Ｐ１側および長辺Ｐ２側のいずれにも画像データがない場合（Ｓ３３０でＮＯ、Ｓ３４０でＮＯ）、オフセット方向がオフセット余白域Ｐ３の画像データの見易さに影響を与えることは少ないとみなせるため、制御部８０のＣＰＵ８１は、例えば、高速印刷を行うため、印刷部３０に近い排紙部のオフセット方向を選択して（Ｓ３５０）、図８の次のステップＳ４００に処理を移行する。
【００８６】
これに対し、オフセット余白域Ｐ３の短辺Ｐ１側および長辺Ｐ２側の双方に画像データが有る場合（Ｓ３２０でＹＥＳ）、制御部８０のＣＰＵ８１は、続いてオフセット余白域Ｐ３における画像データの文字列の向き（方向）を確認する（Ｓ３５５）。
【００８７】
ここで、オフセット余白域Ｐ３における画像データの文字列の向き（方向）が図７（ｂ）に示した長辺Ｐ２と平行である場合（Ｓ３６０でＹＥＳ）、印刷部３０では用紙Ｐを横向きで使用して長辺Ｐ２と平行に文字列が印刷される可能性が高いため、制御部８０のＣＰＵ８１は、その画像データが印字される長辺Ｐ２側でオフセットが実行されるようにオフセット方向を長辺オフセットと決定して（Ｓ３６５）、図８の次のステップＳ４００に進む。なお、ステップＳ３６０の処理では、オフセット余白域Ｐ３における画像データの文字列の向き（方向）を判定しているのであり、その文字列がオフセット余白域Ｐ３の長辺Ｐ２側に印刷されるのか、短辺Ｐ１側に印刷されるのかは問題にしない。
【００８８】
これに対し、オフセット余白域Ｐ３における画像データの文字列の向き（方向）が図７（ａ）に示した短辺Ｐ１と平行である場合（Ｓ３６０でＮＯ、Ｓ３７０でＹＥＳ）、用紙Ｐを縦向きで使用して短辺Ｐ１と平行に文字列が記載される可能性が高いため、制御部８０のＣＰＵ８１は、その画像データが印字される短辺Ｐ１側でオフセットが実行されるようにオフセット方向を短辺オフセットと決定して（Ｓ３７５）、図８の次のステップＳ４００に進む。なお、ステップＳ３７０の処理では、ステップＳ３６０の処理と同様に、オフセット余白域Ｐ３における画像データの文字列の向き（方向）を判定しているのであり、その文字列がオフセット余白域Ｐ３の長辺Ｐ２側に印刷されるのか、短辺Ｐ１側に印刷されるのかは問題にしない。
【００８９】
そして、オフセット余白域Ｐ３における画像データの文字列の向き（方向）を特定できない場合（Ｓ３６０でＮＯ、Ｓ３７０でＮＯ）、用紙Ｐに文字列以外の画像データが印刷される可能性が高く、オフセット方向がオフセット余白域Ｐ３の文字列の読み易さに影響を与えることは少ないとみなせるため、制御部８０のＣＰＵ８１は、ステップＳ３５０の処理と同様に、例えば、高速印刷を行うため、印刷部３０に近い排紙部のオフセット方向を選択して（Ｓ３５０）、図８の次のステップＳ４００に進む。
【００９０】
従って、本発明の実施例３の印刷装置１によれば、オフセット排紙指令にユーザが指定したオフセット方向が含まれていない場合でも、用紙Ｐのオフセット余白域の画像データに基づいてオフセット方向を判定して、オフセット方向の異なる排紙部を選択ないしは切り替えてオフセット排紙処理を実行するため、印刷物の文字列が見やすくなり、その結果、ユーザが自分の印刷物であると認識しやすくなる。
【００９１】
また、本発明の実施例３の印刷装置１では、決定したオフセット方向の排紙部４０，６０等が使用不可である場合でも、他方の使用可能な排紙部４０，６０に切り替えると共に、給紙方向の異なる給紙部１０，２０に切り替えて印刷を実行して、切り替えた排紙部４０，６０でオフセット排紙処理を実行するので、用紙Ｐのオフセット余白域の画像データに基づいてオフセット方向を最適に選択することで、印刷物の文字列が見やすくなり、その結果、ユーザが自分の印刷物であると認識しやすくなる。
【００９２】
なお、実施例１、２では、印刷動作をする前に排紙手段が使用可能か否か判断しているがこれに限らず、印刷動作を実行中で判断して排紙手段を切り替えてもよい。
【００９３】
また、実施例３では、一方の排紙部が使用不可の場合で説明したがこれに限らず、一方の給紙部が用紙切れ等により使用不可となった場合に他方の排紙部と他方の給紙部に切り替えるようにしてもよい。
【００９４】
（実施例４）
本発明の実施例１では、Ａ４サイズの用紙Ｐが短辺を先頭として給紙可能に収容されたサイド給紙部１０と、サイド給紙部１０に収容された用紙Ｐと同じＡ４サイズの用紙Ｐが長辺を先頭として給紙可能に収容された内部給紙部２０と、排紙方向に対し直交する横方向に一定距離ずらして排出するオフセット排紙処理を実行する第１排紙部４０と、オフセット機能を有していない第２排紙部６０とを備えた印刷装置１を例に挙げて説明した。
【００９５】
本発明の実施例２では、Ａ４サイズの用紙Ｐが短辺を先頭として給紙可能に収容されたサイド給紙部１０と、サイド給紙部１０に収容された用紙Ｐと同じＡ４サイズの用紙Ｐが長辺を先頭として給紙可能に収容された内部給紙部２０と、排紙方向に対し直交する横方向に一定距離ずらして排出するオフセット排紙処理を実行する第１排紙部４０と、用紙Ｐの排紙位置を所定枚数毎に排紙方向と平行に一定距離ずらして排出するオフセット排紙を実行する第２排紙部６０とを備えた印刷装置１を例に挙げて説明した。
【００９６】
このように、本発明では、排紙手段は１つ備える構成であってもよいし、複数備える構成であってもよい。同様に、給紙手段についても１つ備える構成であってもよいし、複数備える構成であってもよい。
【００９７】
本発明の実施例４では、Ａ４サイズの用紙Ｐが短辺を先頭として給紙可能に収容されたサイド給紙部１０と、排紙方向に対し直交する横方向に一定距離ずらして排出するオフセット排紙処理を実行する第１排紙部４０と、用紙Ｐの排紙位置を所定枚数毎に排紙方向と平行に一定距離ずらして排出するオフセット排紙を実行する第２排紙部６０とを備えた印刷装置１を例に挙げて説明する。即ち、本発明の実施例４では、内部給紙部２０を備えていないものとする。
【００９８】
次に、本発明の実施例４の印刷装置１の動作について、印刷後の排紙動作を中心に説明する。なお、下記の動作説明では、本発明の実施例１の場合と同様に、ユーザ操作により、Ａ４サイズの用紙Ｐに対し画像データを印刷する印刷ジョブが印刷装置１に対し送信されたものとし、短辺を先頭として給紙可能なサイド給紙部１０にＡ４サイズの用紙Ｐが収容されているものとして説明する。
【００９９】
図１１は、本発明の実施例４の印刷装置１の動作を示すフローチャートである。なお、図１１において、図５に示す本発明の実施例１の印刷装置１の動作と同じ処理については、同じステップ番号を付して説明を省略し、本発明の実施例４の印刷装置１に特有の動作について説明する。
【０１００】
本発明の実施例４の印刷装置１では、オフセット方向が異なるオフセット排紙を実行する排紙部として第１排紙部４０と第２排紙部６０とを有するため、ステップＳ１５０でオフセット排紙指令の中からユーザが指定したオフセット方向や用紙サイズ等の情報を取得した後は、取得したユーザ指定のオフセット方向に基づいて第１排紙部４０または第２排紙部６０を選択すると共に（Ｓ２００）、サイド給紙部１０から給紙させ、印刷部３０に印刷を実行させ（Ｓ５００）、ユーザが指定したオフセット方向のオフセット排紙処理を実行させる（Ｓ１８０）。
【０１０１】
従って、本発明の実施例４の印刷装置１によれば、給紙手段として、Ａ４サイズの用紙Ｐが短辺を先頭として給紙可能に収容されたサイド給紙部１０のみ設けられている場合においても、排紙方向に対し直交する横方向に一定距離ずらして排出するオフセット排紙処理を実行する第１排紙部４０と、用紙Ｐの排紙位置を所定枚数毎に排紙方向と平行に一定距離ずらして排出するオフセット排紙を実行する第２排紙部６０とを備えているので、ユーザからオフセット方向を指定したオフセット排紙指令が有った場合は、そのオフセット排紙指令に含まれるオフセット方向と、第１排紙部４０及び第２排紙部６０のオフセット方向とに基づいて、第１排紙部４０または第２排紙部６０を選択し、印刷された用紙Pを排紙するため、ユーザが第１排紙部４０または第２排紙部６０のうちどちらを使用するかを選択する手間なく、所望のオフセット方向にオフセット排紙処理を実行できる。
【０１０２】
即ち、本発明では、用紙Ｐの短辺および／または長辺を先頭として同一サイズの用紙Ｐを給紙するサイド給紙部１０および／または内部給紙部２０と、印刷された用紙を、用紙Ｐの排紙方向又は用紙の排紙方向に対し直交する横方向のいずれかにのみオフセットして排紙するオフセット排紙処理を実行する第１排紙部４０および／または第２排紙部６０とを備える構成であればよい。この場合、用紙Ｐが短辺か長辺かどうかをセンサや印刷装置１への入力情報から検知してもよい。
【符号の説明】
【０１０３】
１…印刷装置
１０…サイド給紙部（第１の給紙手段）
２０…内部給紙部（第２の給紙手段）
３０…印刷部
４０…第１排紙部（排紙手段、第１の排紙手段）
５０…反転部
６０…第２排紙部（第２の排紙手段）
７０…操作パネル部
８０…制御部（オフセット方向取得手段，制御手段）
８１…ＣＰＵ
８２…プログラムＲＯＭ
８３…ＲＡＭ
【図１】
2014188972.tif 000003
【図２】
2014188972.tif 000004
【図３】
2014188972.tif 000005
【図４】
2014188972.tif 000006
【図５】
2014188972.tif 000007
【図６】
2014188972.tif 000008
【図７】
2014188972.tif 000009
【図８】
2014188972.tif 000010
【図９】
2014188972.tif 000011
【図１０】
2014188972.tif 000012
【図１１】
2014188972.tif 000013